(57)【要約】【課題】狭い場所であっても容易に配置できると共に多くの人が文字や絵を書くことができ、移動も収納も簡単である折畳自在ボードを提供する。【解決手段】表裏両面が筆記できる二枚のボード１，１を備え、両ボード１，１の隣接する側端部を連結部材５を介して連結し、両ボード１，１の相反する側端部に該各ボード１の起立状態を保持するための支持体２を取着し、前記連結部材５は前記各ボード１が水平面内で自在に回動し得るようにその両端部がそれぞれ各ボード１に軸着された構成からなる。【選択図】図１
2006130695.tif 000002
【特許請求の範囲】
【請求項１】
表裏両面が筆記できる二枚のボードを備え、前記両ボードの隣接する側端部を連結部材を介して連結し、前記両ボードの相反する側端部に該各ボードの起立状態を保持するための支持体を取着し、前記連結部材は前記各ボードが水平面内で自在に回動し得るようにその両端部がそれぞれ各ボードに軸着されていることを特徴とする折畳自在ボード。
【請求項２】
前記二枚のボードを一枚状に並置したとき、前記両ボードの隣接する側端部間の隙間が所定の間隔離れている請求項１記載の折畳自在ボード。
【発明の詳細な説明】
【技術分野】
【０００１】
本発明は、表裏両面が筆記できる二枚のボードを隣接する側端部で連結し、各ボードを水平面内で自在に回動できるようにした折畳自在ボードに関するものである。
【背景技術】
【０００２】
従来、この種筆記できるボードとして、表裏両面が筆記できる一枚のボードを備え、該ボードを支持体により起立保持してなり、前記ボードは両側端部のほぼ中央で前後方向へ自在に回動し得るように軸着したものがある（例えば、特許文献１参照。）。
【特許文献１】特開平１１−１９２７９７号公報（第３頁、図３）
【発明の開示】
【発明が解決しようとする課題】
【０００３】
前記特許文献１の構造では、ボードが一枚であることから、筆記スペースが少なくて多くの人が同時に文字や絵を書くことは難しく、その使用範囲に限界がある。そこで、これに対応させるため、前記ボードの横方向の長さを伸ばして全体のボードの面積を広げることが考えられる。しかしながら、このような構成にすると全体に大型化することから、例えば狭い場所での配置が難しく、しかも、移動が面倒であるばかりか収納にも場所を取るなどその取り扱いが非常に難しいといった課題がある。
【０００４】
そこで、本発明は上記課題を解決すべくなされたもので、狭い場所であっても容易に配置できると共に多くの人が同時に文字や絵を書くこともでき、移動も収納も簡単に行なえる使い勝手の良い折畳自在ボードを提供することを目的とするものである。
【課題を解決するための手段】
【０００５】
かかる目的を達成するため本発明に係る折畳自在ボードは、表裏両面が筆記できる二枚のボードを備え、両ボードの隣接する側端部を連結部材を介して連結し、両ボードの相反する側端部に該各ボードの起立状態を保持するための支持体を取着し、前記連結部材は前記各ボードが水平面内で自在に回動し得るようにその両端部がそれぞれ各ボードに軸着された構成からなる。
【０００６】
また、この際、前記二枚のボードを一枚状に並置したとき、前記両ボードの隣接する側端部間の隙間が所定の間隔離れていることが好ましい。所定の間隔とは、例えば３０〜４０ｍｍである。
【発明の効果】
【０００７】
本発明に係る折畳自在ボードは、二枚のボードを備え、両ボードの隣接する側端部を連結部材を介して連結し、すなわち二軸によって連結するようにしたので、各ボードが水平面内のほぼ３６０度の範囲で所望の位置に回動でき、狭い場所での配置も容易であり、しかも、多くの人が同時に文字や絵を書くことができて使用範囲も広がる。また、ボードを回動して互いに重ねることによりコンパクトになって、移動が楽になるばかりか収納にも広い場所を取らないなどその取り扱いが容易で使い勝手が良いという有益な効果を奏する。
【０００８】
また、前記二枚のボードを一枚状に並置したとき、両ボードの隣接する側端部間の隙間が所定の間隔離れているので、ボードの回動時などに手をその間に差し込んで挟まれ怪我をするといったことがほとんどなく安全性が高いという効果が有る。
【発明を実施するための最良の形態】
【０００９】
以下、本発明に係る折畳自在ボードの実施の形態を図面に基づき説明する。図１は、折畳自在ボードの斜視図、図２は同正面図、図３は同右側面図である。この折畳自在ボードＡは、二枚のボード１，１を備え、両ボード１，１とこれらボード１，１をそれぞれ鉛直な起立状態で保持するための支持体２，２とから構成される。
【００１０】
前記各ボード１は、所定の厚みを有すると共に横長の長方形状に成形されている。そして、各ボード１の表裏面には、それぞれホーロー仕上げをして白色のホーロー層１ａが成形され、各種色の水性インキペン等の筆記具により文字・絵が自由に書けかつ消せるようになっている。また、前記各ボード１の四側周端縁にアルミニウム製の縁枠材３が嵌着される。これら縁枠材３は、各コーナー部に取着される合成樹脂製のコーナー部材４により連結される。
【００１１】
両ボード１，１の隣接する互いの側端部が連結部材５を介して連結されている。すなわち、両ボード１，１の隣接する側端部部位であって、その上面間及び下面間にそれぞれ連結部材５，５が配置される。上下の各連結部材５は、鋼材からなり横長平板状に成形され、その両端部の上面に円形の挿通孔６，６が開設される。一方、両ボード１，１側には、隣接する側端部部位であって上端縁の縁枠材３の上面及び下端縁の縁枠材３の下面にそれぞれ前記挿通孔６に挿通する軸杆７，７が突設される。これら軸杆７，７の先端部側は基端側よりも細径に成形され、その先端側の外周面に螺子溝７ａが刻設される。
【００１２】
そして、図４に示すように両ボード１，１の各軸杆７の基端側に各挿通孔６を挿通し、更に、先端側にワッシャ８を嵌着すると共に各螺子溝７ａに二つのナット９，９を螺締することにより、両ボード１，１が各連結部材５を介して連結される。また、各部位のナット９，９には、それぞれ合成樹脂製のキャップ１０が嵌着される。これは、使用者の身体の一部がナット９に接触して怪我をしないようにするためである。下側の連結部材５の下面であってその中央に、鋼材からなる支持杆１１が垂下される。この支持杆１１の下端には床面に接するキャスター１２が取着される。
【００１３】
これにより、両ボード１，１は、上下の各連結部材５によって二軸により軸着されることになり、これら軸着部である軸杆７を中心とし水平面内のほぼ３６０度の範囲で自在に回動するようになる。また、図２に示すように、二枚のボード１，１を一枚状に並置したとき、両ボード１，１の隣接する側端部間の隙間Ｓが所定の間隔、手が余裕を持って差し込める程度の間隔、この場合３５ｍｍ離れている。これは、側端部間の隙間Ｓを所定の間隔離すことにより、例えばボード１の回動時などにその間に手を差し込み挟まれて怪我をするといった危険性をなくすためである。
【００１４】
前記両ボード１，１の互いの相反する側端部であって各縁枠材３の外側面に、支持体２が取着される。各支持体２は、鉛直に起立する縦杆１３ａと該縦杆１３ａの下端に固着される水平な横杆１３ｂとからなる。各横杆１３ｂはボード１の表面に対し直交する方向に沿って配置され、その両端下面にそれぞれ床面に接するキャスター１４，１４が取着される。前記各縦杆１３ａは各縁枠材３に所定の間隔（例えば、２００ｍｍ）離した上下三個所でそれぞれボルト１５締めすることによって固定される。
【００１５】
本発明に係る折畳自在ボードＡは上記構成からなり、次に、その使用方法について説明する。折畳自在ボードＡは、例えば、保育園又は幼稚園で園児が絵を書くために使用するものとして説明する。このため、その高さが１２００ｍｍと低くしてある。
【００１６】
そこで、部屋内では、通常、図５実線に示すように両ボード１，１をほぼ一側面状に開いた状態で使用し、多くの園児達は同時にボード１，１の表裏両面にそれぞれ好きな絵を書くことができる。また、部屋における折畳自在ボードＡの配置位置や趣きによっては、一方のボード１を水平面内で回動して図５鎖線イ又は図５鎖線ロの位置に配置するようにしても良い。この際、二枚のボード１，１は二軸によって連結されているので、回動中心となる部分の自由度が増し、前記ボード１の回動が容易に行なえる。
【００１７】
また、折畳自在ボードＡを部屋の片隅などに置いて収納する場合は、一方のボード１を水平面内で回動させて図５鎖線ハに示すように他方のボード１に重ね合わせるようにすれば、コンパクトになり移動が容易であって収納にも場所を取らない。
【００１８】
このように、折畳自在ボードＡは、二枚のボード１，１を備え、これらを連結部材５の両端部に軸着し二軸によって連結するようにしたので、各ボード１，１が水平面内のほぼ３６０度の範囲で所望の位置に回動でき、狭い場所での配置も容易であり、しかも、多くの人が同時に文字や絵を書くことができて使用範囲も広がる。また、ボード１，１を回動して互いに重ね合わせることによりコンパクトになって、移動が楽になるばかりか収納にも広い場所を取らないなどその取り扱いが容易である。
【００１９】
なお、本発明に係る折畳自在ボードＡは、必ずしも両ボード１，１を開いて使用する必要はなく、例えば少人数のときは両ボード１，１を折り畳んだままで使用することもできる。また、図示は省略するが、両ボード１，１間の下側に配置された連結部材５の下面に垂下される支持杆１１を二重、三重といった多重パイプにより成形すると共に各パイプ間に螺子止め部材を嵌着し、螺子止め部材を締め又は緩めて支持杆１１を自在に伸縮できるように構成する。一方、各縦杆１３ａのボルト１５を複数個（例えば、３〜５個）設ける。このような構成とすることにより、折畳自在ボードＡの高さ寸法、すなわちボード１の高さ位置、が自在に調節でき至便である。
【００２０】
本発明では、折畳自在ボードＡを保育園等の園児が使用する場合について説明したが、例えば会議室、教室、体育館、介護施設といった他の場所であっても、前記と同様にして使用できる。特に、前記高さ調節自在な折畳自在ボードＡは、そのボード１の高さ寸法を低くすることにより、例えば、車椅子に乗った人でもボード１面に手が楽に届き使い易くなる。
【図面の簡単な説明】
【００２１】
【図１】本発明に係る折畳自在ボードの斜視図。
【図２】同正面図。
【図３】同右側面図。
【図４】図２のＸ−Ｘ線拡大断面図。
【図５】本発明に係る折畳自在ボードの使用状態を示す平面図。
【符号の説明】
【００２２】
１                    ボード
２                    支持体
５                    連結部材
Ａ                    折畳自在ボード
Ｓ                    所定の間隔
【図１】
2006130695.tif 000003
【図２】
2006130695.tif 000004
【図３】
2006130695.tif 000005
【図４】
2006130695.tif 000006
【図５】
2006130695.tif 000007